(57)【要約】【課題】スプレーガンをメッシュ式吸引台２と組み合わせた織物洗浄装置において、その作業性を高める。【解決手段】スプレーガンは本体１、持ち手３および開閉スイッチを有する。さらに、真空ポンプ８が吸引台２に接続され、制御装置１３が本体１、開閉スイッチ、真空ポンプ８および電源に接続され、開閉スイッチおよび制御装置１３によって本体１および真空ポンプ８が駆動される。【選択図】図１
2008125818.tif 000002
【特許請求の範囲】
【請求項１】
本体、持ち手および開閉スイッチを有し、洗浄液を噴射するスプレーガンと、
メッシュで被覆された吸引口を有するメッシュ式吸引台と、
前記吸引台に接続され、前記吸引口を真空排気する真空ポンプと、
電源と、
前記本体、開閉スイッチ、真空ポンプおよび電源に接続された制御装置とからなり、
前記開閉スイッチおよび制御装置によって前記本体および真空ポンプが駆動されるようにしたことを特徴とする織物洗浄装置。
【請求項２】
前記開閉スイッチは押しボタンスイッチからなり、前記持ち手の上端に前記本体が位置し、前記持ち手の上端付近において、その前面または一側面に前記押しボタンスイッチが設けられていることを特徴とする請求項１に記載の装置。
【請求項３】
エアを噴射するエア噴射体が前記スプレーガンに設けられ、前記制御装置が前記エア噴射体に接続されており、前記開閉スイッチおよび制御装置によって前記エア噴射体が駆動されるようにしたことを特徴とする請求項１に記載の装置。
【請求項４】
前記開閉スイッチは第１および第２スイッチからなり、前記第１および第２スイッチは押しボタンスイッチであり、前記持ち手の上端に前記本体およびエア噴射体が位置し、前記持ち手の上端付近において、その前面または一側面に前記第１および第２スイッチが設けられ、第１および第２スイッチによって前記本体、エア噴射体および真空ポンプが選択され、駆動されるようにしたことを特徴とする請求項３に記載の装置。
【請求項５】
前記開閉スイッチは第１、第２および第３スイッチからなり、前記第１、第２および第３スイッチは押しボタンスイッチであり、前記持ち手の上端に前記本体およびエア噴射体が位置し、前記持ち手の上端付近において、その前面または一側面に前記第１、第２および第３スイッチが設けられ、第１、第２および第３スイッチによって前記本体、エア噴射体および真空ポンプが選択され、駆動されるようにしたことを特徴とする請求項３に記載の装置。
【発明の詳細な説明】
【技術分野】
【０００１】
この発明は、シミが付着した呉服などの織物を洗浄する織物洗浄装置に関するものである。
【背景技術】
【０００２】
これまでに、出願人は特別の構成の織物洗浄装置を開発し、提案した。実用新案登録第２６０５９５３号公報（特許文献１）に記載されているものがそれである。
【０００３】
同公報のものでは、スプレーガンがメッシュ式吸引台と組み合わされる。特許第３７０８２６４号公報（特許文献２）に記載されているように、スプレーガンは洗浄液を噴射するためのもので、本体および持ち手を有する。エア噴射体をスプレーガンに設けることもできる。エア噴射体はエアを噴射するためのものである。一方、吸引台は吸引口を有し、吸引口はメッシュで被覆される。さらに、真空ポンプが吸引台に接続される。真空ポンプは吸引口を真空排気するためのものである。
【０００４】
したがって、織物のシミ付着部分をメッシュ上に配置し、薬品でシミの成分を溶解処理する。その後、スプレーガンの本体によって洗浄液を噴射し、これを織物のシミ付着部分に付与し、真空ポンプによって吸引口を真空排気すると、洗浄液、シミの成分および薬品を吸引口に吸引することができ、織物のシミ付着部分を完全に洗浄することができる。エア噴射体によってエアを噴射し、エアによって織物の洗浄液を吹き飛ばし、シミ付着部分を乾燥させることもできる。
【０００５】
ところで、スプレーガンは開閉スイッチを有し、開閉スイッチは本体およびエア噴射体を駆動するためのもので、持ち手に設けられる。したがって、片手で持ち手を握り、スプレーガンを持ち、開閉スイッチを操作することができ、これによって洗浄液を噴射することができ、エアを噴射することもできるが、問題は真空ポンプである。洗浄液の噴射と同時に、真空ポンプによって吸引口を真空排気し、洗浄液、シミの成分および薬品を吸引口に吸引する必要があるが、これを達成するには、足踏みペダルなどの別個のスイッチによって真空ポンプを駆動せねばならず、作業性が悪く、改良が要望されている。
【０００６】
したがって、この発明は、スプレーガンをメッシュ式吸引台と組み合わせた織物洗浄装置において、その作業性を高めることを目的としてなされたものである。
【特許文献１】特許第３７０８２６４号公報
【特許文献２】実用新案登録第２６０５９５３号公報
【発明の開示】
【０００７】
この発明によれば、スプレーガンがメッシュ式吸引台と組み合わされる。スプレーガンは洗浄液を噴射するためのもので、本体、持ち手および開閉スイッチを有する。吸引台は吸引口を有し、吸引口はメッシュで被覆される。さらに、真空ポンプが吸引台に接続される。真空ポンプは吸引口を真空排気するためのものである。さらに、制御装置が本体、開閉スイッチ、真空ポンプおよび電源に接続され、開閉スイッチおよび制御装置によって本体および真空ポンプが駆動される。
【０００８】
好ましい実施例では、開閉スイッチは押しボタンスイッチからなる。さらに、持ち手の上端に本体が位置し、持ち手の上端付近において、その前面または一側面に押しボタンスイッチが設けられる。
【０００９】
さらに、他の実施例では、エア噴射体がスプレーガンに設けられる。エア噴射体はエアを噴射するためのものである。さらに、制御装置がエア噴出体に接続され、開閉スイッチおよび制御装置によってエア噴射体が駆動される。
【００１０】
エア噴射体のある実施例において、開閉スイッチは第１および第２スイッチからなり、第１および第２スイッチは押しボタンスイッチであることが好ましい。さらに、持ち手の上端に本体およびエア噴出体が位置し、持ち手の上端付近において、その前面または一側面に第１および第２スイッチが設けられ、第１および第２スイッチによって本体、エア噴射体および真空ポンプが選択され、駆動されるようにすることが好ましい。
【００１１】
開閉スイッチとして第１、第２および第３スイッチを使用してもよい。第１、第２および第３スイッチは押しボタンスイッチである。さらに、持ち手の上端に本体およびエア噴射体を位置させ、持ち手の上端付近において、その前面または一側面に第１、第２および第３スイッチを設け、第１、第２および第３スイッチによって本体、エア噴射体および真空ポンプを選択し、駆動するようにしてもよい。
【発明を実施するための最良の形態】
【００１２】
以下、この発明の実施例を説明する。
【００１３】
図１Ａはこの発明にかかる織物洗浄装置を示す。この装置では、スプレーガンの本体１によって洗浄液が噴射され、これがメッシュ式吸引台２と組み合わされる。図１Ｂに示すように、スプレーガン１は本体１の他に、持ち手３および開閉スイッチ４を有し、本体１は持ち手３と一体化され、開閉スイッチ４は持ち手３に設けられている。
【００１４】
開閉スイッチ４は押しボタンスイッチである。さらに、持ち手３の上端に本体１が位置し、持ち手３の上端付近において、その前面または一側面に押しボタンスイッチ４が設けられる。この実施例では、持ち手３の上端付近において、その前面に押しボタンスイッチ４が設けられている。
【００１５】
スプレーガンの本体１はピストンポンプ式のもので、モータによってピストンが駆動され、往復移動し、洗浄液がノズル５から噴射されることは特許第３７０８２６４号公報のスプレーガンと同様である。モータは持ち手３に内蔵されていることも同公報のものと同様である。ハンガー６が作業テーブル７に固定されており、スプレーガンをハンガー６に吊り下げることもできる。
【００１６】
一方、吸引台２は吸引口を有し、吸引口はメッシュで被覆されていることは実用新案登録第２６０５９５３号公報に記載されているものと同様である。真空ポンプ８が吸引台２に接続されていることも同公報のものと同様である。この実施例では、吸引台２は作業テーブル７の上側に配置され、真空ポンプ８は作業テーブル７の下側に配置され、床面に載置されている。さらに、吸引台２がパイプ９に支持され、パイプ９はスリーブ１０にはめ込まれ、スリーブ１０は作業テーブル７に固定されている。したがって、スリーブ１０によってパイプ９を案内し、吸引台２およびパイプ９を上昇および下降させることができ、その高さを調節することができる。さらに、つまみ１１にねじが設けられ、これがスリーブ１０にねじ合わされており、つまみ１１によってねじを回転させ、これをパイプ９に押し付け、ねじによってパイプ９を固定することができる。そして、チューブ１２およびパイプ９によって真空ポンプ８と吸引台２が接続されている。真空ポンプ８は吸引口を真空排気するためのものである。吸引台２は細長く、袖の部分に挿入することができるのも実用新案登録第２６０５９５３号公報のものと同様である。吸引台２はスライド可能であることも同公報のものと同様である。
【００１７】
さらに、制御装置１３が作業テーブル７に取り付けられ、電線１４、本体１、押しボタンスイッチ４、真空ポンプ８および電源に接続されている。電源はコンセントからなる。そして、押しボタンスイッチ４および制御装置１３によって本体１および真空ポンプ８が駆動される。
【００１８】
したがって、この装置において、吸引台２の高さ調節後、織物のシミ付着部分をメッシュ上に配置し、薬品でシミの成分を溶解処理する。その後、スプレーガンの本体１によって洗浄液を噴射し、これを織物のシミ付着部分に付与し、真空ポンプ８によって吸引口を真空排気すると、洗浄液、シミの成分および薬品を吸引口に吸引することができ、織物のシミ付着部分を完全に洗浄することができる。
【００１９】
この装置の場合、片手で持ち手３を握り、スプレーガンを持ち、押しボタンスイッチ４を操作することができる。特に、この実施例では、持ち手３の上端付近において、その前面に押しボタンスイッチ４が設けられていることは前述したとおりである。したがって、片手でスプレーガンを持ち、人差し指で押しボタンスイッチ４を押すことができ、その操作は容易である。
【００２０】
そして、押しボタンスイッチ４を押すと、押しボタンスイッチ４および制御装置１３によって本体１が駆動され、スプレーガンの本体１によって洗浄液が噴射される。これと同時に、制御装置１３によって真空ポンプ８が駆動され、真空ポンプ８によって吸引口が真空排気される。したがって、洗浄液を織物のシミ付着部分に付与し、これと同時に、シミの成分および薬品を吸引口に吸引することができる。その後、押しボタンスイッチ４を離すと、制御装置１３によって本体１および真空ポンプ８が停止する。したがって、従来のように、足踏みペダルなどの別個のスイッチによって真空ポンプを駆動する必要はなく、作業性は高い。
【００２１】
制御装置１３にタイマーを組み込み、押しボタンスイッチ４を離すと、スプレーガンの本体１の停止後、数秒経過したとき、タイマーによって真空ポンプ８が停止するようにすることもできる。押しボタンスイッチ４を押すと、真空ポンプ８の駆動後、数秒経過したとき、タイマーによって本体１が駆動されるようにすることもできる。制御装置１３のタイマーについては、制御装置１３につまみを設け、つまみによって設定時間を設定することができるようにしてもよい。
【００２２】
持ち手３の上端付近において、その前面ではなく、一側面に押しボタンスイッチ４を設け、親指で押しボタンスイッチ４を押すことができるようにしてもよい。
【００２３】
開閉スイッチとして第１および第２スイッチを使用してもよい。第１および第２スイッチは押しボタンスイッチである。さらに、持ち手３の上端付近において、その前面または一側面に第１および第２スイッチを設け、第１および第２スイッチによって本体１および真空ポンプ８を選択し、駆動するようにしてもよい。持ち手３の上端付近において、その前面および一側面に第１および第２スイッチを設けてもよい。
【００２４】
図２Ａは他の実施例を示す。この装置では、エア噴射体１５がスプレーガンに設けられている。エア噴射体１５はエアを噴射するためのものである。さらに、図２Ｂに示すように、本体１およびエア噴射体１５が持ち手３と一体化され、開閉スイッチ１６，１７が持ち手３に設けられている。さらに、制御装置１３が本体１、エア噴射体１５、開閉スイッチ１６，１７、真空ポンプ８および電源に接続されており、開閉スイッチ１６，１７および制御装置１３によって本体１、エア噴射体１５および真空ポンプ８が駆動される。
【００２５】
さらに、開閉スイッチ１６，１７は第１および第２スイッチからなり、第１および第２スイッチ１６，１７は押しボタンスイッチである。さらに、持ち手３の上端に本体１およびエア噴射体１５が位置し、持ち手３の上端付近において、その前面または一側面に第１および第２スイッチ１６，１７が設けられる。持ち手３の上端付近において、その前面および一側面に第１および第２スイッチ１６，１７を設けることが好ましい。この実施例では、前面に第１スイッチ１６が設けられ、一側面に第２スイッチ１７が設けられている。そして、第１および第２スイッチ１６，１７によって本体１、エア噴射体１５および真空ポンプ８が選択され、駆動される。
【００２６】
たとえば、第１および第２スイッチ１６，１７を同時に押すと、それによって真空ポンプ８が駆動され、第１および第２スイッチ１６，１７を離しても、真空ポンプ８は駆動された状態に維持される。その後、第１および第２スイッチ１６，１７を再度操作し、同時に押すと、それによって真空ポンプ８が停止する。さらに、第１スイッチ１６だけを押すと、それによって本体１が駆動され、第１スイッチ１６を離すと、それによって本体１が停止し、第２スイッチ１７だけを押すと、それによってエア噴射体１５が駆動され、第２スイッチ１７を離すと、それによってエア噴射体１５が停止する。
【００２７】
したがって、図２Ａの装置では、図１Ａの装置と同様、スプレーガンの本体１によって洗浄液を噴射し、真空ポンプ８によって吸引口を真空排気し、織物のシミ付着部分を完全に洗浄することができる。その後、エア噴射体１５によってエアを噴射し、エアによって織物の洗浄液を吹き飛ばし、織物を迅速に乾燥させることができる。本体１によって洗浄液を噴射し、同時並行的に、エア噴射体１５によってエアを噴射し、エアによって織物の洗浄液を吹き飛ばすこともできる。
【００２８】
さらに、片手で持ち手３を握り、スプレーガンを持ち、第１および第２スイッチ１６，１７を操作することができる。特に、この実施例では、持ち手３の上端付近において、その前面に第１スイッチ１６が設けられ、一側面に第２スイッチ１７が設けられていることは前述したとおりである。したがって、片手でスプレーガンを持ち、人差し指で第１スイッチ１６を押し、親指で第２スイッチ１７を押すことができ、その操作は容易である。
【００２９】
持ち手３の上端付近において、その前面に第２スイッチ１７を設け、一側面に第１スイッチ１６を設けてもよい。前面に第１および第２スイッチ１６，１７を設けることも考えられ、一側面に第１および第２スイッチ１６，１７を設けることも考えられる。
【００３０】
開閉スイッチとして第１、第２および第３スイッチを使用してもよい。第１、第２および第３スイッチは押しボタンスイッチである。さらに、持ち手３の上端に本体１およびエア噴射体１５を位置させ、持ち手３の上端付近において、その前面または一側面に第１、第２および第３スイッチを設け、第１、第２および第３スイッチによって本体１、エア噴射体１５および真空ポンプ８を選択し、駆動するようにしてもよい。
【図面の簡単な説明】
【００３１】
【図１】Ａはこの発明の実施例を示す説明図である。ＢはＡのスプレーガンの側面図である。
【図２】Ａは他の実施例を示す説明図である。ＢはＡのスプレーガンの側面図である。
【符号の説明】
【００３２】
１  本体
２  吸引台
３  持ち手
４，１６，１７  開閉スイッチ
８  真空ポンプ
１３  制御装置
１５  エア噴射体
【図１】
2008125818.tif 000003
【図２】
2008125818.tif 000004